【手続補正書】
【提出日】平成15年5月9日(2003.5.9)
【手続補正１】
【補正対象書類名】明細書
【補正対象項目名】特許請求の範囲
【補正方法】変更
【補正の内容】
【特許請求の範囲】
【請求項１】
所定の制御情報および静止画データを記録できる光ディスクにおいて、
前記光ディスクは、１以上の静止画で構成される静止画ビデオオブジェクトのグループと、所定の付加オーディオ情報を記録するように構成され、
前記静止画ビデオオブジェクト内には副映像情報を含む副映像ストリームが記録可能に構成され、
前記制御情報は静止画ＡＶファイル情報テーブル情報を含み、この静止画ＡＶファイル情報テーブル情報が前記静止画ビデオオブジェクトを管理する静止画ＡＶファイル情報を含み、この静止画ＡＶファイル情報が前記静止画ビデオオブジェクトのグループ情報を含み、この静止画ビデオオブジェクトのグループ情報が前記静止画ビデオオブジェクトのエントリ情報を含み、この静止画ビデオオブジェクトのエントリ情報が前記付加オーディオ情報のグループ番号を示す付加オーディオグループ番号情報と前記付加オーディオ情報のエントリ番号を示す付加オーディオエントリ番号情報を含むように構成され、
前記エントリ情報が前記静止画ビデオオブジェクトのエントリタイプ情報を含むように構成され、このエントリタイプ情報が前記副映像ストリームの数を記述する副映像ストリーム情報をさらに含むように構成され、かつ、
前記制御情報はオリジナルのプログラムチェーン情報とユーザが定義したプログラムチェーン情報のテーブル情報を含み、このユーザが定義したプログラムチェーン情報のテーブル情報は１以上のユーザ定義プログラムチェーン情報およびこれらのユーザ定義プログラムチェーン情報に対応したサーチポインタ情報を含み、前記オリジナルのプログラムチェーン情報もしくはユーザ定義プログラムチェーン情報が１以上のセル情報を含み、前記セル情報は静止画セル情報であり、
前記静止画セル情報が、対応するセルのための最初の静止画ビデオオブジェクト番号および対応するセルのための最後の静止画ビデオオブジェクト番号を有するセル一般情報を含んで構成され、
前記制御情報内で、前記静止画ＡＶファイル情報テーブル情報と前記オリジナルのプログラムチェーン情報とユーザが定義したプログラムチェーン情報のテーブル情報はそれぞれ互いに異なる領域に存在するように構成されたことを特徴とする光ディスク。
【請求項２】
所定の制御情報および静止画データを記録できる光ディスクであり、この光ディスクは１以上の静止画で構成される静止画ビデオオブジェクトのグループと所定の付加オーディオ情報を記録するように構成され、前記静止画ビデオオブジェクト内には副映像情報を含む副映像ストリームが記録可能に構成され、前記制御情報は静止画ＡＶファイル情報テーブル情報を含み、この静止画ＡＶファイル情報テーブル情報が前記静止画ビデオオブジェクトを管理する静止画ＡＶファイル情報を含み、この静止画ＡＶファイル情報が前記静止画ビデオオブジェクトのグループ情報を含み、この静止画ビデオオブジェクトのグループ情報が前記静止画ビデオオブジェクトのエントリ情報を含み、この静止画ビデオオブジェクトのエントリ情報が前記付加オーディオ情報のグループ番号を示す付加オーディオグループ番号情報と前記付加オーディオ情報のエントリ番号を示す付加オーディオエントリ番号情報を含むように構成され、前記エントリ情報が前記静止画ビデオオブジェクトのエントリタイプ情報を含むように構成され、このエントリタイプ情報が前記副映像ストリームの数を記述する副映像ストリーム情報をさらに含むように構成され、かつ、前記制御情報はオリジナルのプログラムチェーン情報とユーザが定義したプログラムチェーン情報のテーブル情報を含み、このユーザが定義したプログラムチェーン情報のテーブル情報は１以上のユーザ定義プログラムチェーン情報およびこれらのユーザ定義プログラムチェーン情報に対応したサーチポインタ情報を含み、前記オリジナルのプログラムチェーン情報もしくはユーザ定義プログラムチェーン情報が１以上のセル情報を含み、前記セル情報は静止画セル情報であり、前記静止画セル情報が、対応するセルのための最初の静止画ビデオオブジェクト番号および対応するセルのための最後の静止画ビデオオブジェクト番号を有するセル一般情報を含んで構成され、前記制御情報内で前記静止画ＡＶファイル情報テーブル情報と前記オリジナルのプログラムチェーン情報とユーザが定義したプログラムチェーン情報のテーブル情報はそれぞれ互いに異なる領域に存在するように構成された光ディスクに対して情報記録を行う記録方法であって、
前記光ディスクに前記静止画データを記録し、
前記制御情報内に、前記副映像ストリーム情報を含む前記エントリ情報を記録することを特徴とする記録方法。
【請求項３】
所定の制御情報および静止画データが記録される光ディスクであり、この光ディスクは１以上の静止画で構成される静止画ビデオオブジェクトのグループと所定の付加オーディオ情報を記録するように構成され、前記静止画ビデオオブジェクト内には副映像情報を含む副映像ストリームが記録可能に構成され、前記制御情報は静止画ＡＶファイル情報テーブル情報を含み、この静止画ＡＶファイル情報テーブル情報が前記静止画ビデオオブジェクトを管理する静止画ＡＶファイル情報を含み、この静止画ＡＶファイル情報が前記静止画ビデオオブジェクトのグループ情報を含み、この静止画ビデオオブジェクトのグループ情報が前記静止画ビデオオブジェクトのエントリ情報を含み、この静止画ビデオオブジェクトのエントリ情報が前記付加オーディオ情報のグループ番号を示す付加オーディオグループ番号情報と前記付加オーディオ情報のエントリ番号を示す付加オーディオエントリ番号情報を含むように構成され、前記エントリ情報が前記静止画ビデオオブジェクトのエントリタイプ情報を含むように構成され、このエントリタイプ情報が前記副映像ストリームの数を記述する副映像ストリーム情報をさらに含むように構成され、かつ、前記制御情報はオリジナルのプログラムチェーン情報とユーザが定義したプログラムチェーン情報のテーブル情報を含み、このユーザが定義したプログラムチェーン情報のテーブル情報は１以上のユーザ定義プログラムチェーン情報およびこれらのユーザ定義プログラムチェーン情報に対応したサーチポインタ情報を含み、前記オリジナルのプログラムチェーン情報もしくはユーザ定義プログラムチェーン情報が１以上のセル情報を含み、前記セル情報は静止画セル情報であり、前記静止画セル情報が、対応するセルのための最初の静止画ビデオオブジェクト番号および対応するセルのための最後の静止画ビデオオブジェクト番号を有するセル一般情報を含んで構成され、前記制御情報内で前記静止画ＡＶファイル情報テーブル情報と前記オリジナルのプログラムチェーン情報とユーザが定義したプログラムチェーン情報のテーブル情報はそれぞれ互いに異なる領域に存在するように構成された光ディスクから情報再生を行う再生方法であって、
前記副映像ストリーム情報を含む前記エントリ情報が記録された前記制御情報を再生し、そして
前記静止画データを再生することを特徴とする再生方法。
【請求項４】
所定の制御情報および静止画データが記録される光ディスクであり、この光ディスクは１以上の静止画で構成される静止画ビデオオブジェクトのグループと所定の付加オーディオ情報を記録するように構成され、前記静止画ビデオオブジェクト内には副映像情報を含む副映像ストリームが記録可能に構成され、前記制御情報は静止画ＡＶファイル情報テーブル情報を含み、この静止画ＡＶファイル情報テーブル情報が前記静止画ビデオオブジェクトを管理する静止画ＡＶファイル情報を含み、この静止画ＡＶファイル情報が前記静止画ビデオオブジェクトのグループ情報を含み、この静止画ビデオオブジェクトのグループ情報が前記静止画ビデオオブジェクトのエントリ情報を含み、この静止画ビデオオブジェクトのエントリ情報が前記付加オーディオ情報のグループ番号を示す付加オーディオグループ番号情報と前記付加オーディオ情報のエントリ番号を示す付加オーディオエントリ番号情報を含むように構成され、前記エントリ情報が前記静止画ビデオオブジェクトのエントリタイプ情報を含むように構成され、このエントリタイプ情報が前記副映像ストリームの数を記述する副映像ストリーム情報をさらに含むように構成され、かつ、前記制御情報はオリジナルのプログラムチェーン情報とユーザが定義したプログラムチェーン情報のテーブル情報を含み、このユーザが定義したプログラムチェーン情報のテーブル情報は１以上のユーザ定義プログラムチェーン情報およびこれらのユーザ定義プログラムチェーン情報に対応したサーチポインタ情報を含み、前記オリジナルのプログラムチェーン情報もしくはユーザ定義プログラムチェーン情報が１以上のセル情報を含み、前記セル情報は静止画セル情報であり、前記静止画セル情報が、対応するセルのための最初の静止画ビデオオブジェクト番号および対応するセルのための最後の静止画ビデオオブジェクト番号を有するセル一般情報を含んで構成され、前記制御情報内で前記静止画ＡＶファイル情報テーブル情報と前記オリジナルのプログラムチェーン情報とユーザが定義したプログラムチェーン情報のテーブル情報はそれぞれ互いに異なる領域に存在するように構成された光ディスクから情報再生を行う再生装置であって、
前記副映像ストリーム情報を含む前記エントリ情報および前記静止画データを再生する手段を具備し、
再生した前記エントリ情報の中から前記付加オーディオグループ番号情報、付加オーディオエントリ番号情報および副映像ストリーム情報を取り出し、取り出した前記付加オーディオグループ番号情報、付加オーディオエントリ番号情報および副映像ストリーム情報に基づいて、前記付加オーディオ情報および副映像ストリームを再生するように構成されたことを特徴とする再生装置。